(57)【要約】【課題】放電灯点灯装置が備えるインバータ回路の発振周波数を切り替える場合に、発振周波数の切り替えタイミングを制御して、回路バランスが崩れることの防止を目的とする。【解決手段】負荷回路４に接続され、直流電流を高周波電流に変換するインバータ回路３に対して、矩形波電圧を与えることによりインバータ回路３の発振周波数を制御する発振周波数制御装置１００においてインバータ回路３に流れる電流が正方向となる期間を検出して、切り替え後の発振周波数をインバータ回路３に発生させる矩形波電圧を出力する出力タイミングを検出した期間と決定する。【選択図】図２
2007215256.tif 000002
【特許請求の範囲】
【請求項１】
負荷回路に接続され、直流電流を高周波電流に変換するインバータ回路に対して、矩形波電圧を与えることにより上記インバータ回路の発振周波数を制御する発振周波数制御装置において、
上記発振周波数を指定する発振周波数指定部と、
上記発振周波数指定部が発振周波数の指定を変更する場合に、上記インバータ回路に流れる電流が所定方向となる期間を算出して、変更後の発振周波数を上記インバータ回路に発生させる矩形波電圧を出力する出力タイミングを、算出した期間と決定するタイミング決定部と、
変更後の発振周波数を上記インバータ回路に発生させる矩形波電圧を上記タイミング決定部が決定した出力タイミングに出力する矩形波電圧出力部と
を備えることを特徴とする発振周波数制御装置。
【請求項２】
上記タイミング決定部は、上記発振周波数指定部が発振周波数の指定を変更する場合に、変更後の発振周波数を上記インバータ回路に発生させる矩形波電圧を出力する出力タイミングｔを、矩形波電圧の出力停止を起点とした上記負荷回路の共振周波数の周期Ｔに基づき（２ｎ−１）×Ｔ／４≦ｔ≦（２ｎ＋１）×Ｔ／４（ｎ：任意の奇数）により算出して決定する
ことを特徴とする請求項１記載の発振周波数制御装置。
【請求項３】
上記タイミング決定部は、上記インバータ回路が有するスイッチング素子のドレインからソースへ電流が流れる期間を算出して、変更後の発振周波数を上記インバータ回路に発生させる矩形波電圧を出力する出力タイミングを、算出した期間と決定する
ことを特徴とする請求項１記載の発振周波数制御装置。
【請求項４】
負荷回路に接続され、直流電流を高周波電流に変換するインバータ回路に対して、矩形波電圧を与えることにより上記インバータ回路の発振周波数を制御する発振周波数制御装置において、
上記発振周波数を指定する発振周波数指定部と、
上記インバータ回路の電流を検出する電流検出部と、
上記発振周波数指定部が発振周波数の指定を変更する場合に、上記電流検出部が検出した電流に基づき変更後の発振周波数を上記インバータ回路に発生させる矩形波電圧を出力する出力タイミングを決定するタイミング決定部と、
変更後の発振周波数を上記インバータ回路に発生させる矩形波電圧を上記タイミング決定部が決定した出力タイミングに出力する矩形波電圧出力部と
を備えることを特徴とする発振周波数制御装置。
【請求項５】
上記タイミング決定部は、上記電流検出部が検出した電流が正である期間内に矩形波電圧を出力する出力タイミングを設けることを決定する
ことを特徴とする請求項４記載の発振周波数制御装置。
【請求項６】
請求項１乃至５のいずれかに記載の発振周波数制御装置と、
前記発振周波数制御装置の出力に基づいて発振し、直流電流を高周波電流に変換して点灯に供されるランプに前記高周波電流を供給するインバータ回路と、
を備えることを特徴とする放電灯点灯装置。
【発明の詳細な説明】
【技術分野】
【０００１】
本発明は、例えば、インバータ回路の発振周波数切り替えタイミングを制御する技術に関する。
【背景技術】
【０００２】
従来、インバータ回路の周波数制御には専用の制御ＩＣ等が用いられてきた。近年、マイクロコンピュータ（以下マイコンと称する）の低価格化に伴い、回路を安価に構成するためマイコンにより、インバータ回路の発振周波数制御をするものが主流になりつつある。
特開２００４−３５５８６４号公報は、マイコンによるインバータ回路の制御について記載されている。
【特許文献１】特開２００４−３５５８６４号公報
【発明の開示】
【発明が解決しようとする課題】
【０００３】
マイコンを用いて、インバータ回路の発振周波数の制御を行う場合に、発振周波数を切り替えるタイミングについての制御は行われていない。発振周波数を切り替えるタイミングにより、回路バランスが崩れ、部品の故障につながるという課題がある。
本発明は、例えば、発振周波数を切り替えるタイミングを制御して、回路バランスが崩れることを防止することを目的とする。
【課題を解決するための手段】
【０００４】
本発明にかかる発振周波数制御装置は、例えば、負荷回路に接続され、直流電流を高周波電流に変換するインバータ回路に対して、矩形波電圧を与えることにより上記インバータ回路の発振周波数を制御する発振周波数制御装置において、
上記発振周波数を指定する発振周波数指定部と、上記発振周波数指定部が発振周波数の指定を変更する場合に、上記インバータ回路に流れる電流が所定方向となる期間を算出して、変更後の発振周波数を上記インバータ回路に発生させる矩形波電圧を出力する出力タイミングを、算出した期間と決定するタイミング決定部と、変更後の発振周波数を上記インバータ回路に発生させる矩形波電圧を上記タイミング決定部が決定した出力タイミングに出力する矩形波電圧出力部とを備えることを特徴とする。
【発明の効果】
【０００５】
本発明にかかる発振周波数制御装置によれば、インバータ回路に流れる電流が所定方向となる期間を算出して、変更後の発振周波数を上記インバータ回路に発生させる矩形波電圧を出力する出力タイミングを算出した期間と決定する。このため、発振周波数の切り替えにより回路バランスが崩れることがない。
【発明を実施するための最良の形態】
【０００６】
まず、図１に基づき実施の形態にかかる発振周波数制御装置１００のハードウェアについて説明する。図１は、実施の形態における発振周波数制御装置１００のハードウェア構成を示す図である。
図１において、発振周波数制御装置１００は、プログラムを実行するＣＰＵ９１１（中央処理装置、プロセッサ）を備えている。ＣＰＵ９１１は、処理装置９８０である。ＣＰＵ９１１は、バス９１２を介してＲＯＭ９１３、ＲＡＭ９１４、電圧発生装置９１７と接続され、これらのハードウェアデバイスを制御する。
【０００７】
ＲＯＭ９１３は、例えば、ソフトウェア、プログラム等を記憶する。後述する発振周波数制御部１１０は、例えば、ソフトウェア、プログラム等であっても構わない。発振周波数制御部１１０がソフトウェア、プログラム等である場合には、ＲＯＭ９１３は、発振周波数制御部１１０を記憶していても構わない。また、ＣＰＵ９１１は、例えば、ＲＯＭ９１３が記憶した発振周波数制御部１１０を読み出し、処理を実行する。
電圧発生装置９１７は、接続線２０を介してインバータ回路へパルス電圧（矩形波電圧）を発生する。
【０００８】
実施の形態１．
次に、実施の形態１について説明する。実施の形態１では、インバータ回路に流れる電流が所定方向となる期間を算出して、発振周波数の制御を行う発振周波数制御装置１００について説明する。
【０００９】
まず、図２に基づきマイコン１１で発振周波数を制御する場合の一般的な放電灯点灯装置の回路について説明する。図２は、マイコン１１で制御する場合の一般的な放電灯点灯装置の回路ブロック図である。放電灯点灯装置は、整流回路部１、アクティブフィルタ回路部２、インバータ回路部３、負荷回路部４、ドライブ回路部５、マイコン１１を備える。また、インバータ回路部３はＦＥＴ（スイッチング素子）６、ＦＥＴ７を備える。また、負荷回路部４はインダクタ８、コンデンサ９、ランプ１０を備える。ランプ１０は、取り外し可能であり、放電灯点灯装置が備えていなくても構わない。また、ドライブ回路部５はトランジスタ１２、トランジスタ１３、１次側インダクタ１４、２次側インダクタ１５、２次側インダクタ１６を備える。
図２に示す放電灯点灯装置の回路は、マイコン１１が発生するパルス電圧により、インバータ回路部３を駆動する構成である。つまり、マイコン１１が発生するパルス電圧により、接続線２０を介してトランジスタ１２、トランジスタ１３を制御する。そして、１次側インダクタ１４を介して２次側インダクタ１５、２次側インダクタ１６に交互に電圧を生じさせる。そして、スイッチング素子６、スイッチング素子７がスイッチングして高周波を発生させる。したがって、インバータ回路部３の動作周波数、及び、周波数切り替え時の動作は、マイコン１１が発生するパルス電圧の変化に追従する。
【００１０】
次に、図３、図４に基づき発振周波数切り替え時のインバータ回路部３が備えるスイッチング素子６、及び、スイッチング素子７のドレイン−ソース（ＤＳ）電流、スイッチング素子７のＤＳ電圧について説明する。図３、図４は、発振周波数切り替え時のインバータ回路部３が備えるスイッチング素子６、及び、スイッチング素子７のＤＳ電流、スイッチング素子７のＤＳ電圧を示す図である。特に図３は、発振周波数の切り替えが正常に繋がる場合を示す図であり、図４は、発振周波数の切り替えが正常に繋がらない場合を示す図である。
図３に示すように、マイコン１１で発振周波数を制御する場合、マイコン１１の出力パルス電圧の周波数変更時にパルス電圧が停止する期間が数十μｓ存在する。これは、マイコン１１内部で次のパルス電圧を設定するための時間である。この時間は、使用クロック、及び、マイコン１１の処理能力により異なる。一般的には、マイコン１１が安価なものになる程、使用できるクロックが小さくなり、かつ、処理能力も低下するため、パルス電圧が停止する期間が長くなる。パルス電圧の停止期間が非常に短い場合、パルス電圧の停止を無視することもできる。しかし、一般にマイコン１１のパルス電圧の出力停止時間は、３０μｓ程度ある。また、通常、インバータは５０ｋＨｚ等で動作する。５０ｋＨｚで動作する場合、１周期は２０μｓである。したがって、マイコン１１がパルス電圧の出力を停止することで、１周期以上のパルス電圧の停止期間が生じる。さらに、ここで、パルス電圧停止期間は、何らかの規定をしない限り、そのときのマイコン１１内部の処理状態により、ランダムに変動する。そのため、パルス電圧の出力停止を無視することはできない。
図３、図４では、スイッチング素子７のＤＳ電圧がＬＯＷ状態でパルス電圧停止期間に突入した場合について示している。つまり、スイッチング素子７がオンの状態でパルス電圧停止期間に突入した場合であり、スイッチング素子７はオンの状態を維持（スイッチング素子６はオフの状態を維持）している。この場合、図２に示す回路ブロック図において、スイッチング素子７、インダクタ８、コンデンサ９、および結合コンデンサを通る閉ループで電流が流れる。また、スイッチング素子７のＤＳ電流は負荷回路のインダクタ８、コンデンサ９、及び、結合コンデンサからなる直列共振回路の共振周波数で振動する。
図３は、スイッチング素子７のＤＳ電流が正に振れている状態で再度マイコン１１からのパルス電圧の発振が開始されている。スイッチング素子７のＤＳ電流が正に振れている状態で、スイッチング素子７のＤＳ電圧がＨＩになる場合は、正常波形で発振が継続される。
図４は、スイッチング素子７のＤＳ電流が負に振れている状態で再度マイコン１１からのパルス電圧の発振が開始されている。スイッチング素子７のＤＳ電流が負に振れている状態で、スイッチング素子７のＤＳ電圧がＨＩになった場合は、正常波形で発振が継続されない。なぜなら、スイッチング素子７の内部の寄生ダイオードに順方向に電流が流れている状態でスイッチング素子６がオンとなるため、上記寄生ダイオードの逆回復時間の間、スイッチング素子６、スイッチング素子７に短絡電流が流れる。つまり、スイッチング素子７のＤＳ電流が負に振れている状態では、スイッチング素子７では、ソースからドレインの方向に電流が流れている。そこへ、スイッチング素子６がオンとなることで、寄生ダイオードの逆回復時間の間、ドレインからソースへ短絡電流が流れる。さらに、スイッチング素子６のＤＳ電流の位相が変わり、遅れ位相で動作していたものが、進み位相で動作するため、回路のバランスが崩れるからである。
【００１１】
図５は、パルス電圧停止期間にスイッチング素子７に流れるＤＳ電流の波形を示す図である。上述したように、スイッチング素子７に流れるＤＳ電流が正に振れている状態で再度マイコン１１からのパルス電圧の発振が開始され、スイッチング素子７のＤＳ電圧がＨＩになった場合は、正常波形で発振が継続される。また、パルス電圧停止状態（スイッチング素子７のＤＳ電圧がＬＯＷの期間）では、スイッチング素子７のＤＳ電流は、負荷回路のインダクタ８、コンデンサ９、及び、結合コンデンサからなる直列共振回路の共振周波数ｆ０で振動する。この共振周波数ｆ０の周期をＴとすると、上述したように再度マイコン１１からパルス電圧を発生させて正常波形で発振が継続されるタイミングｔは、スイッチング素子７のＤＳ電流が正に振れている期間である。つまり、タイミングｔは、図５に示すように、Ｔ／４＜ｔ＜３Ｔ／４、５Ｔ／４＜ｔ＜７Ｔ／４、９Ｔ／４＜ｔ＜１１Ｔ／４、・・・である。この条件をまとめると、周波数切り替えをした場合に再度パルス電圧を発生させるタイミングｔは、パルス電圧停止状態に突入してから（スイッチング素子７のＤＳ電圧がＬＯＷになった瞬間から）、（２ｎ−１）×Ｔ／４≦ｔ≦（２ｎ＋１）×Ｔ／４（ｎ＝１，３，５，７，９，・・・）の条件を満たす期間である。この期間に周波数切り替えをした場合に再度パルス電圧を発生させることで回路を安定に動作させることができる。
【００１２】
次に、図６に基づき実施の形態１にかかる発振周波数制御装置１００の機能について説明する。図６は、実施の形態１にかかる発振周波数制御装置１００の機能を示す機能ブロック図である。
発振周波数制御装置１００は、インバータ回路に対してパルス電圧を与えることによりインバータ回路の発振周波数を制御する。ここで、インバータ回路は、負荷回路に接続され、直流電流を高周波電流に変換する回路である。また、発振周波数制御装置１００は、発振周波数制御部１１０、処理装置９８０、記憶装置９８４を備える。発振周波数制御部１１０は、発振周波数指定部１２０、タイミング決定部１３０、矩形波電圧出力部１４０を備える。
発振周波数指定部１２０は、インバータ回路の発振周波数を指定する。
タイミング決定部１３０は、発振周波数指定部１２０が発振周波数の指定を変更する場合に、インバータ回路に流れる電流が所定方向となる期間を算出して、変更後の発振周波数をインバータ回路に発生させるパルス電圧を出力する出力タイミングを算出した期間と決定する。タイミング決定部１３０は、例えば、インバータ回路が有するスイッチング素子のドレインからソースへ電流が流れる期間を算出して、変更後の発振周波数をインバータ回路に発生させるパルス電圧を出力する出力タイミングを算出した期間と決定しても構わない。つまり、タイミング決定部１３０は、例えば、図２に示すインバータ回路部３のスイッチング素子７のＤＳ電流が正方向に流れる期間を、パルス電圧を出力する出力タイミングとして決定しても構わない。また、タイミング決定部１３０は、変更後の発振周波数をインバータ回路に発生させるパルス電圧を出力する出力タイミングｔを、パルス電圧の出力停止を起点とした負荷回路の共振周波数の周期Ｔに基づき（２ｎ−１）×Ｔ／４≦ｔ≦（２ｎ＋１）×Ｔ／４（ｎ：任意の奇数）により算出して決定しても構わない。
矩形波電圧出力部１４０は、パルス電圧を出力する。矩形波電圧出力部１４０は、変更後の発振周波数をインバータ回路に発生させるパルス電圧をタイミング決定部１３０が決定した出力タイミングに出力する。矩形波電圧出力部１４０は、例えば、図１に示す電圧発生装置９１７等を介してパルス電圧を接続線２０へ出力する。
【００１３】
次に、図７に基づき実施の形態１にかかる発振周波数制御装置１００の動作の流れについて説明する。図７は、実施の形態１にかかる発振周波数制御装置１００の動作である発振周波数制御処理（発振周波数制御方法、発振周波数制御プログラム）を示すフローチャートである。
まず、発振周波数指定ステップ（Ｓ１０１）では、発振周波数指定部１２０は、インバータ回路の発振周波数を指定する。発振周波数が変更（指定）されるとパルス電圧は所定の時間停止する。そして、例えば図２では、インバータ回路部３のスイッチング素子７のＤＳ電流は負荷回路のインダクタ８、コンデンサ９、及び、結合コンデンサからなる直列共振回路の共振周波数で振動する。
次に、タイミング決定ステップ（Ｓ１０２）では、タイミング決定部１３０は、インバータ回路に流れる電流が所定方向となる期間を算出して、変更後の発振周波数を上記インバータ回路に発生させるパルス電圧を出力する出力タイミングを算出した期間と決定する。
そして、矩形波電圧出力ステップ（Ｓ１０３）では、矩形波電圧出力部１４０は、変更後の発振周波数をインバータ回路に発生させるパルス電圧をタイミング決定部１３０が決定した出力タイミングに出力する。
【００１４】
上記では、図２に示す回路ブロック図においてスイッチング素子７がＬＯＷ状態でパルス電圧停止期間に突入した場合について説明した。しかし、これに限れるわけではなく、スイッチング素子６がＬＯＷ状態でパルス電圧停止期間に突入しても構わない。この場合にも、上記と同様に、パルス電圧を出力するタイミングを決定することが可能である。
【００１５】
実施の形態１にかかる発振周波数制御装置１００によれば、タイミング決定部１３０がパルス電圧を出力するタイミングを算出することで、発振周波数を切り替えした場合でも、正常波形で発振を継続させることが可能である。したがって、放電灯点灯装置に実施の形態１にかかる発振周波数制御装置１００を備えることで、発振周波数を切り替えした場合でも、回路バランスが崩れることがなく、部品の故障を起こす可能性が減少する。
【００１６】
つまり、実施の形態１にかかる発振周波数制御装置１００は、商用電源を昇圧または降圧して得られる直流電源と、上記直流電源から供給される直流を高周波電流に変換するインバ−タ回路と、上記インバ−タ回路に接続されるチョ−クコイル、放電灯、放電灯に並列に接続される始動コンデンサ及び結合コンデンサよりなる放電灯負荷回路、上記インバータ回路の発振周波数制御をマイコン１１から発生させるパルス電圧により制御する放電灯装置において、
上記発振周波数変更時に、変更前の周波数のパルス電圧が停止してから変更後の周波数のパルス電圧を発生させるタイミングｔを、上記放電灯負荷回路の共振周波数の１周期をＴとして、（２ｎ−１）×Ｔ／４≦ｔ≦（２ｎ＋１）×Ｔ／４（ｎ＝１，３，５，７，９，‥）のタイミングで行うことを特徴とする。
【００１７】
実施の形態２．
次に、実施の形態２について説明する。実施の形態２では、インバータ回路部３に流れる電流を検出して、発振周波数の制御を行う発振周波数制御装置１００について説明する。
【００１８】
まず、図８に基づき実施の形態２にかかる放電灯点灯装置の回路について説明する。図８は、実施の形態２にかかる放電灯点灯装置の回路ブロック図である。図８に示す回路ブロック図と図２に示す回路ブロック図との違いは、スイッチング素子７に直列に接続された電流検出抵抗１７に発生する電圧波形を、マイコン１１に帰還していることである。電流検出抵抗１７を備える回路ブロックは電流検出抵抗部１８である。
図９は、発振周波数切り替え時のインバータ回路部３が備えるスイッチング素子６、及び、スイッチング素子７のＤＳ電流、スイッチング素子７のＤＳ電圧と電流検出抵抗１７の両端の電圧との関係を示す図である。図９に示すように、電流検出抵抗１７の両端には、スイッチング素子７のＤＳ電流に同期した電圧波形が発生する。そこで、パルス電圧停止期間に、電流検出抵抗１７の電圧が正になるタイミングを、マイコン１１で検出する。検出した所定のタイミングに同期して再度パルス電圧を発生させる。これにより、負荷回路の共振周波数に関わらず、パルス電圧発生タイミングを決定することができる。
【００１９】
次に、図１０に基づき実施の形態２にかかる発振周波数制御装置１００の機能について説明する。図１０は、実施の形態２にかかる発振周波数制御装置１００の機能を示す機能ブロック図である。
図６に示す実施の形態１にかかる発振周波数制御装置１００の機能と図１０に示す実施の形態２にかかる発振周波数制御装置１００の機能との違いは、実施の形態２にかかる発振周波数制御装置１００が電流検出部１５０を備えたことである。
電流検出部１５０は、インバータ回路の電流を検出する。つまり、電流検出部１５０は、例えば、図８に示す電流検出抵抗１７に発生する電流を検出する。したがって、タイミング決定部１３０は、発振周波数指定部１２０が発振周波数の指定を変更する場合に、電流検出部１５０が検出した電流に基づき変更後の発振周波数をインバータ回路に発生させるパルス電圧を出力する出力タイミングを決定する。特に、タイミング決定部１３０は、電流検出部１５０が検出した電流が正である期間内にパルス電圧を出力する出力タイミングを設けることを決定する。そして、矩形波電圧出力部１４０は、変更後の発振周波数をインバータ回路に発生させるパルス電圧をタイミング決定部１３０が決定した出力タイミングに出力する。
【００２０】
次に、図１１に基づき実施の形態２にかかる発振周波数制御装置１００の動作の流れについて説明する。図１１は、実施の形態２にかかる発振周波数制御装置１００の動作である発振周波数制御処理（発振周波数制御方法、発振周波数制御プログラム）を示すフローチャートである。
図７に基づき実施の形態１にかかる発振周波数制御装置１００の動作と異なる部分について説明する。
（Ｓ２０１）は、（Ｓ１０１）と同様である。
次に、電流検出ステップ（Ｓ２０２）では、電流検出部１５０は、インバータ回路の電流を検出する。
次に、タイミング決定ステップ（Ｓ２０３）では、タイミング決定部１３０は、電流検出部１５０が検出した電流に基づき変更後の発振周波数をインバータ回路に発生させるパルス電圧を出力する出力タイミングを決定する。
（Ｓ２０４）は、（Ｓ１０３）と同様である。
【００２１】
実施の形態２にかかる発振周波数制御装置１００によれば、電流検出部１５０が検出した電流に基づき、タイミング決定部１３０がパルス電圧の出力タイミングを決定することで、発振周波数を切り替えした場合でも、正常波形で発振を継続させることが可能である。したがって、放電灯点灯装置に実施の形態１にかかる発振周波数制御装置１００を備えることで、発振周波数を切り替えした場合でも、回路バランスが崩れることがなく、部品の故障を起こす可能性が減少する。
【００２２】
つまり、実施の形態２にかかる発振周波数制御装置１００は、商用電源を昇圧または降圧して得られる直流電源と、上記直流電源から供給される直流を高周波電流に変換するインバ−タ回路と、上記インバ−タ回路に接続されるチョ−クコイル、放電灯、放電灯に並列に接続される始動コンデンサ及び結合コンデンサよりなる放電灯負荷回路、上記インバータ回路の発振周波数制御をマイコン１１から発生させるパルス電圧により制御する放電灯装置において、
上記発振周波数変更時に、変更前の周波数のパルス電圧から変更後の周波数のパルス電圧を発生させるタイミングを、上記インバータ回路の電流を検出することにより決定することを特徴とする。
【図面の簡単な説明】
【００２３】
【図１】実施の形態における発振周波数制御装置１００のハードウェア構成を示す図。
【図２】マイコン１１で制御する場合の一般的な放電灯点灯装置の回路ブロック図。
【図３】発振周波数の切り替えが正常に繋がる場合を示す図。
【図４】発振周波数の切り替えが正常に繋がらない場合を示す図。
【図５】パルス電圧停止期間にスイッチング素子７に流れるＤＳ電流の波形を示す図。
【図６】実施の形態１にかかる発振周波数制御装置１００の機能を示す機能ブロック図。
【図７】実施の形態１にかかる発振周波数制御装置１００の動作である発振周波数制御処理（発振周波数制御方法、発振周波数制御プログラム）を示すフローチャート。
【図８】実施の形態２にかかる放電灯点灯装置の回路ブロック図。
【図９】発振周波数切り替え時のインバータ回路部３が備えるスイッチング素子６、及び、スイッチング素子７のＤＳ電流、スイッチング素子７のＤＳ電圧と電流検出抵抗１７の両端の電圧との関係を示す図。
【図１０】実施の形態２にかかる発振周波数制御装置１００の機能を示す機能ブロック図。
【図１１】実施の形態２にかかる発振周波数制御装置１００の動作である発振周波数制御処理（発振周波数制御方法、発振周波数制御プログラム）を示すフローチャート。
【符号の説明】
【００２４】
１  整流回路部、２  アクティブフィルタ回路部、３  インバータ回路部、４  負荷回路部、５  ドライブ回路部、６  スイッチング素子、７  スイッチング素子、８  インダクタ、９  コンデンサ、１０  ランプ、１１  マイコン、１２  トランジスタ、１３  トランジスタ、１４  １次側インダクタ、１５  ２次側インダクタ、１６  ２次側インダクタ、１７  電流検出抵抗、１８  電流検出抵抗部、１００  発振周波数制御装置、１１０  発振周波数制御部、１２０  発振周波数指定部、１３０  タイミング決定部、１４０  矩形波電圧出力部、１５０  電流検出部、９１１  ＣＰＵ、９１２  バス、９１３  ＲＯＭ、９１４  ＲＡＭ、９１７  電圧発生装置、９８０  処理装置、９８４  記憶装置。
【図１】
2007215256.tif 000003
【図２】
2007215256.tif 000004
【図３】
2007215256.tif 000005
【図４】
2007215256.tif 000006
【図５】
2007215256.tif 000007
【図６】
2007215256.tif 000008
【図７】
2007215256.tif 000009
【図８】
2007215256.tif 000010
【図９】
2007215256.tif 000011
【図１０】
2007215256.tif 000012
【図１１】
2007215256.tif 000013